(57)【要約】【課題】２次元のコードを利用しつつ、複数種類のコンテンツを適宜選択して配信する。【解決手段】サーバ装置５と表示装置２と携帯端末４とを備え、携帯端末は、表示装置のコード表示部３５に表示されたコードを撮像する撮像部４７と、音を検出する音入力部４８と、コードを解析してコンテンツの配信元を取得するコード解析手段４６と、入力された音を解析して付加情報を取得する音解析手段４６とを備え、サーバ装置は、携帯端末が付加情報の送信と共にコンテンツの配信元にアクセスした場合に、付加情報に応じてコンテンツを携帯端末に配信する配信制御手段５５を備えている。【選択図】図６
2014197336.tif 000002
【特許請求の範囲】
【請求項１】
所定のコンテンツを配信するサーバ装置と、
前記コンテンツの配信元を示す１次元又は２次元のコードを表示するコード表示部を有する表示装置と、
前記コンテンツの配信先にアクセスして前記コンテンツを取得する携帯端末とを備えるコンテンツ配信システムであって、
前記携帯端末は、
前記コード表示部に表示されたコードを撮像する撮像部と、
外部の音を検出する音入力部と、
前記撮像された前記コードを解析して前記コンテンツの配信元の情報を取得するコード解析手段と、
前記撮像部による前記コードの撮像時に前記音入力部から入力された音を解析して付加情報を取得する音解析手段と、
を備え、
前記サーバ装置は、
前記携帯端末が前記付加情報の送信と共に前記コンテンツの配信元にアクセスした場合に、前記付加情報に応じてコンテンツを前記携帯端末に配信する配信制御手段を備えることを特徴とするコンテンツ配信システム。
【請求項２】
前記表示装置は、特定音を出力する音出力部を備えることを特徴とする請求項１記載のコンテンツ配信システム。
【請求項３】
前記サーバ装置は、前記表示装置に対して、前記音出力部から出力する特定音の種類を選択し指示する特定音指示入力手段を備えることを特徴とする請求項２記載のコンテンツ配信システム。
【請求項４】
前記サーバ装置の特定音指示入力手段は、所定のタイムスケジュールに従って、前記表示装置に対して、前記音出力部から出力する特定音の種類を選択し指示することを特徴とする請求項３記載のコンテンツ配信システム。
【請求項５】
コンテンツ配信元を示す１次元又は２次元のコードを表示するコード表示部と、
前記１次元又は２次元のコードが示すコンテンツ配信元が配信するコンテンツを特定するための特定音を出力する音出力部とを備えることを特徴とする表示装置。
【請求項６】
前記音出力部は、所定のタイムスケジュールによって、特定音を変更することを特徴とする請求項５に記載の表示装置。
【請求項７】
１次元又は２次元のコードを撮像する撮像部と、
外部の音を検出する音入力部と、
前記撮像されたコードと前記検出された外部の音に基づいたアクセス先にアクセスするアクセス手段を備えることを特徴とする携帯端末。
【請求項８】
コンテンツの配信元を示す１次元又は２次元のコードを表示するコード表示部と音出力部とを有する表示装置のコンピュータを、
前記１次元又は２次元のコードが示すコンテンツ配信元のコンテンツを特定するための特定音を出力するように前記音出力部を制御する特定音出力手段として機能させることを特徴とするプログラム。
【請求項９】
１次元又は２次元のコードを撮像する撮像部と外部の音を検出する音入力部とを備える携帯端末のコンピュータを、
前記撮像されたコードと前記検出された外部の音に基づいたアクセス先にアクセスするアクセス手段として機能させることを特徴とするプログラム。
【発明の詳細な説明】
【技術分野】
【０００１】
本発明は、１次元コード又は２次元コードを利用したコンテンツ配信システム、表示装置、携帯端末及びプログラムに関する。
【背景技術】
【０００２】
従来よりバーコード等の１次元コードやＱＲコード（登録商標）等の２次元コードを携帯端末に搭載されたカメラにより撮像し、画像認識により記録されたアクセス元の情報を読み出してアクセスを促し、所定のコンテンツを配信することが行われていた（例えば特許文献１参照）。
【先行技術文献】
【特許文献】
【０００３】
【特許文献１】特許第２９３８３３８号公報
【発明の概要】
【発明が解決しようとする課題】
【０００４】
しかしながら、従来の１次元又は２次元のコードは情報が一つしか割り当てることができず、複数種類のコンテンツの中から一つを特定して配信するためには、複数種類のコードを個別に用意しなければならなかった。
そこで本発明は、１次元又は２次元のコードを利用しつつ、複数種類のコンテンツを適宜選択して配信することのできるコンテンツ配信システム、表示装置、携帯端末及びプログラムを提供することをその目的とする。
【課題を解決するための手段】
【０００５】
以上の課題を解決するため、本発明のコンテンツ配信システムは、
所定のコンテンツを配信するサーバ装置と、前記コンテンツの配信元を示す１次元又は２次元のコードを表示するコード表示部を有する表示装置と、前記コンテンツの配信先にアクセスして前記コンテンツを取得する携帯端末とを備えるコンテンツ配信システムであって、前記携帯端末は、前記コード表示部に表示されたコードを撮像する撮像部と、外部の音を検出する音入力部と、前記撮像された前記コードを解析して前記コンテンツの配信元の情報を取得するコード解析手段と、前記撮像部による前記コードの撮像時に前記音入力部から入力された音を解析して付加情報を取得する音解析手段と、を備え、
前記サーバ装置は、前記携帯端末が前記付加情報の送信と共に前記コンテンツの配信元にアクセスした場合に、前記付加情報に応じてコンテンツを前記携帯端末に配信する配信制御手段を備えることを特徴としている。
【０００６】
以上の課題を解決するため、本発明の表示装置は、
コンテンツ配信元を示す１次元又は２次元のコードを表示するコード表示部と、前記１次元又は２次元のコードが示すコンテンツ配信元が配信するコンテンツを特定するための特定音を出力する音出力部とを備えることを特徴としている。
【０００７】
以上の課題を解決するため、本発明の携帯端末は、
１次元又は２次元のコードを撮像する撮像部と、外部の音を検出する音入力部と、前記撮像されたコードと前記検出された外部の音に基づいたアクセス先にアクセスするアクセス手段を備えることを特徴としている。
【０００８】
以上の課題を解決するため、本発明のプログラムは、
コンテンツの配信元を示す１次元又は２次元のコードを表示するコード表示部と音出力部とを有する表示装置のコンピュータを、前記１次元又は２次元のコードが示すコンテンツ配信元のコンテンツを特定するための特定音を出力するように前記音出力部を制御する特定音出力手段として機能させることを特徴としている。
【０００９】
以上の課題を解決するため、本発明のプログラムは、
１次元又は２次元のコードを撮像する撮像部と外部の音を検出する音入力部とを備える携帯端末のコンピュータを、前記撮像されたコードと前記検出された外部の音に基づいたアクセス先にアクセスするアクセス手段として機能させることを特徴としている。
【発明の効果】
【００１０】
本発明によれば、１次元又は２次元のコードを利用しつつ、複数種類のコンテンツを適宜選択して配信することが可能となる。
【図面の簡単な説明】
【００１１】
【図１】発明の実施形態の表示システムの概略構成を示すブロック図である。
【図２】デジタルサイネージ装置の主制御構成を示すブロック図である。
【図３】デジタルサイネージ装置のスクリーン部の概略構成を示す正面図である。
【図４】携帯端末の主制御構成を示すブロック図である。
【図５】サーバ装置の主制御構成を示すブロック図である。
【図６】コンテンツリクエストの生成を示す説明図である。
【図７】特定音指示入力処理を示すフローチャートである。
【図８】特定音出力処理を示すフローチャートである。
【図９】サーバアクセス処理を示すフローチャートである。
【図１０】コンテンツ配信処理を示すフローチャートである。
【発明を実施するための形態】
【００１２】
［実施形態の概要］
以下に、本発明を実施するための最良の形態について図面を用いて説明する。ただし、以下に述べる発明の実施形態には、本発明を実施するために技術的に好ましい種々の限定が付されているが、発明の範囲を以下の実施形態及び図示例に限定するものではない。
【００１３】
図１は発明の実施形態のコンテンツ配信システムの概略構成を示すブロック図である。コンテンツ配信システム１には、本発明に係る表示装置としてのデジタルサイネージ装置２と、ネットワークＮを介してデジタルサイネージ装置２に通信自在なサーバ装置５と、例えばＮＦＣなどの近距離無線通信技術によってデジタルサイネージ装置２に通信自在な携帯端末４とが備えられている。
そして、この実施形態としてのコンテンツ配信システム１は、デジタルサイネージ装置２を店舗に設置し、店舗に来訪した来訪客（以下、ユーザーとする）が携帯端末４によりデジタルサイネージ装置２からサーバ装置５へのアクセス情報を取得してくじ引きを行い、くじ引きの景品に関するデータをコンテンツとしてサーバ装置５から携帯端末４に配信することを可能とするシステムを構築している。
【００１４】
［デジタルサイネージ装置］
図２はデジタルサイネージ装置２の主制御構成を示すブロック図である。デジタルサイネージ装置２は、人物画像や広告映像等の映像光を照射する投影部２１と、投影部２１から照射された映像光を背面で受けて前面に投影するスクリーン部２２とを備えている。
【００１５】
投影部２１は、処理プログラム及び各種のデータに基づいて各部を制御する制御部２３と、制御部２３に接続され、当該制御部２３から出力された画像データ（動画及び静止画を含む画像データ）を映像光に変換してスクリーン部２２に向けて照射するプロジェクタ２４と、処理プログラム及び各種のデータを記憶する記憶部２５と、ネットワークＮを介してサーバ装置５と通信する通信部２６とを備えている。
【００１６】
次に、スクリーン部２２について説明する。
図３は、スクリーン部２２の概略構成を示す正面図である。図３に示すようにスクリーン部２２には、四角形の画像形成部２７と、画像形成部２７を支持する台座２８とが備えられている。
画像形成部２７は、映像光の照射方向に対して略直交する例えばアクリル板などの一枚の透光板２９により形成されている。透光板２９の背面には背面投影用のフィルムスクリーンが積層され、なおかつフィルムスクリーンの背面にはフィルム状のフレネルレンズが積層されている。そして、この画像形成部２７と前述したプロジェクタ２４とにより表示部を構成している。
【００１７】
そして、画像形成部２７の上部には、例えばカメラなどの撮像部３０が設けられている。この撮像部３０が画像形成部２７に対向する空間の映像をリアルタイムに撮像して画像データを生成する。撮像部３０は、図示は省略するが、光学系及び撮像素子を備えるカメラと、カメラを制御する撮像制御部とを備えている。
カメラの光学系は、画像形成部２７に向き合った人物の顔部分を撮像可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００１８】
台座２８には、携帯端末４と通信し携帯端末４に対して情報を読み書きするためのリーダライター部３１と、ボタン式の操作部３２と、特定音を出力するスピーカなどの音出力部３３と、マイクなどの音入力部３４とが設けられている。
リーダライター部３１、操作部３２、音出力部３３、音入力部３４及び撮像部３０は、図２に示すように制御部２３に接続されている。
【００１９】
制御部２３は、各種のプログラムを実行して所定の演算や各部の制御を行うＣＰＵとプログラム実行時の作業領域となるメモリとを備えている（いずれも図示略）。
そして、制御部２３はリーダライター部３１に対して携帯端末４がかざされると、読み取り時においては携帯端末４に記憶されている情報を、リーダライター部３１を介して読み出す。他方、書き込み時においては制御部２３は書き込み情報を、リーダライター部３１を介して携帯端末４に記憶させる。
また、制御部２３は、操作部３２からの操作信号或いは外部指令に従って、各種の処理を実行し、必要時には、記憶部２５から画像データや音データを読み出して、プロジェクタ２４の表示制御及び音出力部３３の音出力制御を実行する。
さらに、制御部２３は、撮像部３０から得られた画像データや、音入力部３４から得られた音データを記憶部２５に格納する。
また、制御部２３は、携帯端末４からの情報や、操作部３２からの操作信号によっては、通信部２６を制御してサーバ装置５と通信を行う。通信により得られた情報は記憶部２５に格納される。
【００２０】
さらに、台座２８には、携帯端末４がコンテンツの配信元となるサーバ装置５へのアクセスを行うための情報、例えば、ＵＲＬ（Uniform Resource Locator）を記述した２次元コード（ここではＱＲコード（登録商標）を例示する）を表示するコード表示部３５が設けられている。このコード表示部３５は、２次元コードが印刷されたステッカーを貼付したものだが、例えば、液晶画面等を用いて表示しても良い。また、前述した画像形成部２７の一部を利用して２次元コードを表示しても良い。これらにより２次元コードの表示を行った場合には、２次元コードの記述内容を変更するために視覚的な形態を変更することを容易に行うことができる。
【００２１】
［携帯端末］
図４は、携帯端末４の主制御構成を示すブロック図である。
携帯端末４は、例えば携帯電話、スマートフォン、タブレット式端末などの携帯機器である。図４に示すように携帯端末４には、例えば表示部４１と、操作部４２と、通信部４３と、近距離通信部４４と、記憶部４５と、撮像を行う撮像部４７と、外部の音を取り込む音入力部４８と、これらを制御する制御部４６とが設けられている。
表示部４１は例えば液晶パネルや有機ＥＬパネルなどから構成されている。
操作部４２は例えばタッチパネルや、操作キーなどである。
通信部４３は３ＧやＬＴＥ、Ｗｉ−Ｆｉなどの規格により通信を行う。また、ネットワークＮを通じてサーバ装置５との通信も可能である。
近距離通信部４４は例えばＮＦＣなどの近距離無線通信技術によってデジタルサイネージ装置２のリーダライター部３１と通信を行う。
記憶部４５には、サーバ装置５とアクセスするためのプログラムであるサーバアクセスアプリ４５１が記憶されており、また、サーバ装置５からコンテンツとしてクーポンデータ４５２の配信を受けた場合には当該クーポンデータ４５２が格納される。
【００２２】
撮像部４７は、図示を省略するが、光学系及び撮像素子を備えるカメラと、カメラを制御する撮像制御部とを備えており、光学系の光軸前方の画像をリアルタイムに撮像して画像データを生成する。また、その撮像素子は、例えば、ＣＣＤやＣＭＯＳ等のイメージセンサであり、光学系を通過した光学像を２次元の画像信号に変換する。
音入力部４８は、図示は省略するが、マイクと当該マイクから取り込んだ外部の音をデジタルデータ化するＡ／Ｄ変換部とを備えている。
【００２３】
制御部４６は、各種のプログラムを実行して所定の演算や各部の制御を行うＣＰＵとプログラム実行時の作業領域となるメモリとを備えている（いずれも図示略）。
また、制御部４６は、近距離通信部４４がデジタルサイネージ装置２のリーダライター部３１に接近すると、近距離通信部４４及びリーダライター部３１を介してデジタルサイネージ装置２と情報の送受を実行する。
【００２４】
［サーバ装置］
図５はサーバ装置５の主制御構成を示すブロック図である。
サーバ装置５は、表示部５１と、入力部５２と、通信部５３と、記憶部５４と、これらを制御する制御部５５とが設けられている。
表示部５１は、ＬＣＤ（Liquid Crystal Display）等で構成され、制御部５５から入力される表示情報に応じて各種表示を行う。
入力部５２はキーボードとマウス等のポインティングデバイスとからなり、サーバ装置５の管理者による入力を受け付けてその操作情報を制御部５５に出力する。
通信部５３は、モデム、ルータ、ネットワークカード等により構成され、ネットワークＮに接続されて、ネットワークＮ上のデジタルサイネージ装置２や携帯端末４との通信を行う。
【００２５】
記憶部５４は、磁気記録媒体を有するＨＤＤ（Hard Disk Drive）、不揮発性の半導体メモリ等により構成される。記憶部５４には、図５に示すように、デジタルサイネージ装置２の出力する特定音を選択し指示する特定音指示プログラム５４１と、くじ引きを行ってコンテンツであるクーポンデータの配信を行うコンテンツ配信プログラム５４２と、デジタルサイネージ装置２の出力する特定音のタイムスケジュールを定めたデータ５４３と、配信を行う各種のクーポンデータ５４４とが記憶されている。
制御部５５は、各種のプログラムを実行して所定の演算や各部の制御を行うＣＰＵとプログラム実行時の作業領域となるメモリとを備えている（いずれも図示略）。
【００２６】
［くじ引きによるコンテンツ配信処理の概要］
このコンテンツ配信システム１は、店舗に設置され、広告等の表示を行っているデジタルサイネージ装置２に付された２次元コードをユーザーが携帯端末４で読み込むことでサーバ装置５にアクセスし、サーバ装置５におけるくじ引きの処理結果に応じてコンテンツであるクーポンデータを携帯端末４に配信するシステムである。
また、このコンテンツ配信システム１の特徴として、デジタルサイネージ装置２ではその音出力部３３から特定音を出力し、携帯端末４側では２次元コードの撮像時に特定音の取り込みを行い、これを付加情報に変換してサーバ装置５に対するコンテンツリクエストの生成を行っている。
これらの前提に基づいて、コンテンツ配信システム１の各構成が行う処理について以下に説明する。
【００２７】
［デジタルサイネージ装置における特定音出力処理］
前述したように、デジタルサイネージ装置２の制御部２３は、特定音出力プログラム２５２（図２参照）を実行することにより、携帯端末４に対して特定音の出力制御を行う。
携帯端末４側では、取り込んだ特定音データから音における何らかの特徴を抽出し、その特徴に応じて付加情報を生成する。従って、デジタルサイネージ装置２が出力する特定音は、他の音と識別が可能となる何らかの特徴を備えている音が利用される。
例えば、特定音の特徴としては、その音量そのものでも良いし、一定の周期やテンポで繰り返される連続音でも良いし、所定波長の単一波長音でも良い。これにより、音量、周期、テンポ、周波数から各特定音を携帯端末４側で識別することができる。なお、特定音は人の可聴領域外の音でも良い。
なお、ここでは一例として、周波数解析を行った場合に特定の周波数成分が最も顕著に大きくなる特徴を有する特定音をデジタルサイネージ装置２が出力するものとし、そのデータ記憶部２５３（図２参照）には、顕著となる周波数が異なる複数種類の特定音データが格納されているものとする。
なお、デジタルサイネージ装置２がいずれの特定音を出力するかは、特定音出力プログラム２５２（図２参照）により、サーバ装置５からの特定音指示の指令に従って選択される。
即ち、デジタルサイネージ装置２の制御部２３は、１次元又は２次元のコードが示すコンテンツ配信元のコンテンツを特定するための特定音を出力するように音出力部３３を制御する特定音出力手段として機能する。
そして、特定音出力プログラム２５２は、コンピュータとしての制御部２３を特定音出力手段として機能させるものである。
【００２８】
［携帯端末におけるサーバアクセス処理］
携帯端末４の制御部４６はサーバアクセスアプリ４５１（図４参照）を実行することにより、２次元コードの撮像時にデジタルサイネージ装置２の音出力部３３から出力される特定音の取り込みを実行する。
そして、制御部４６は、取得した２次元コードの画像データと特定音のデータとからコンテンツリクエストを生成してサーバ装置５にアクセス（通信）する。その手法を図６を参照しながら説明する。
【００２９】
まず、制御部４６は、撮像した２次元コードの画像データについて、その形態的な特徴から向きやサイズを特定し、さらに、情報の記述領域を抽出して周知の画像解析により、コンテンツの配信元の所在であるサーバ装置５のＵＲＬを示した情報を読み取ることができる（図６における「http://sample_server.co.jp」の記述）。このＵＲＬが携帯端末４のアクセス先となる。
即ち、制御部４６は、撮像された２次元コードを解析してコンテンツの配信元の情報（アクセス先の情報）を取得するコード解析手段として機能する。
【００３０】
また、制御部４６は、特定音のデータから周波数解析を行い、周波数成分が最も顕著に大きくなる周波数帯域を求める。サーバアクセスアプリ４５１には、この顕著な周波数帯域と付加情報との対応関係を示す対応データが含まれており、これにより付加情報を特定する。例えば、上記対応データには、付加情報status=1には周波数h1〜h2の範囲、付加情報status=2には周波数h2〜h3の範囲、付加情報status=3には周波数h2〜h3の範囲、…という具合に対応関係が定められているので、周波数解析により求められた顕著な周波数帯域がいずれの周波数の範囲に属するかによって付加情報status=1,2,3,…を特定することができる。
即ち、制御部４６は、撮像部４７による２次元コードの撮像時に音入力部４８から入力された音を解析して付加情報を取得する音解析手段として機能する。
【００３１】
なお、音解析手段としての制御部４６が実行する特徴音の解析は、周波数解析に限らない。例えば、前述した特定音の特徴に応じて、その音量で識別しても良いし、周期やテンポで識別しても良い。さらに、特定音が所定波長の単一波長音である場合には、その周波数そのもので識別しても良い。
【００３２】
そして、制御部４６は、サーバ装置５のＵＲＬと付加情報（例えば「status=2」とする）とを取得すると、付加情報をPost/Getデータとしてコンテンツリクエスト「http://sample_server.co.jp？status=2」を生成し、付加情報を付帯した状態でサーバ装置５にアクセスする。このアクセスにより、サーバ装置５側では、「status=2」という付加情報を取得することができる。
即ち、制御部４６は、付加情報を付帯して、撮像された２次元コードから取得したアクセス先にアクセスするアクセス手段として機能する。
そして、上記のように、プログラムとしてのサーバアクセスアプリ４５１は、コンピュータとしての制御部４６を、上記コード解析手段、音解析手段、アクセス手段として機能させるものである。
【００３３】
なお、上記サーバアクセスアプリ４５１は、その取得経路について限定はないが、例えば、予め、デジタルサイネージ装置２の記憶部２５に用意しておき、リーダライター部３１に携帯端末４の近距離通信部４４を近づけると、これを検出して携帯端末４側に配信するようにしても良い。
その場合、デジタルサイネージ装置２では、リーダライター部３１に携帯端末４の近距離通信部４４を近づけるとくじ引きによりコンテンツの配信が可能となる等のくじ引きの実施及びその説明画面を表示し、ユーザーに対してくじ引きの参加を促すと共にその内容を説明する映像出力制御を行うことが望ましい。
【００３４】
［サーバ装置における各種の処理］
まず、サーバ装置５の制御部５５は、特定音指示プログラム５４１（図５参照）を実行することにより、特定音の選択を行い、選択した特定音を出力するようにデジタルサイネージ装置２に通知する。
サーバ装置５の記憶部５４にはデジタルサイネージ装置２において出力すべき特定音の種類とその時間帯を定めた特定音のタイムスケジュールのデータ５４３が用意されている。このタイムスケジュールでは、一日におけるコンテンツの配信を行う全ての時間を複数の時間帯に分割し、各時間帯ごとに別々の種類の特定音が定められている。
そして、サーバ装置５の制御部５５は内蔵時計により現在時刻を監視しつつ、タイムスケジュールのデータ５４３を参照して、各種の特定音の出力する時刻になったときに、デジタルサイネージ装置２に対して、特定音の種別を特定しながら当該特定音の出力を指示する。
即ち、制御部５５は、表示装置であるデジタルサイネージ装置２に対して、音出力部３３から出力する特定の音の種類を選択し指示する特定音指示入力手段として機能する。
なお、デジタルサイネージ装置２が複数台設置されている場合には、サーバ装置５の記憶部５４には、各デジタルサイネージ装置２ごとにタイムスケジュールのデータ５４３が用意され、個々に特定音の指示を行う。
【００３５】
また、サーバ装置５の制御部５５は、コンテンツ配信プログラム５４２（図２参照）を実行することにより、くじ引きを利用したコンテンツ配信処理を実行する。
即ち、制御部５５は、携帯端末４のアクセスによりコンテンツリクエストを受信すると、その付加情報から配信するコンテンツとしての景品の内容を決定する。この場合の景品は、金券、買い物割引券、商品引換券等として機能する電子クーポンであるクーポンデータ５４４である。
記憶部５４には、付加情報と景品の内容との対応関係を示す景品特定データ５４５が格納されており、制御部５５は、付加情報を取得すると、この景品特定データを参照して景品を決定する。
また、制御部５５は、景品を決定すると、当落決定処理を行ってくじ引きの当落を決定する。この当落決定処理は、例えば、乱数発生処理を行い、得られた乱数が予め定めた当たり判定の数値範囲内に属するか否かによって当落を決定する。
【００３６】
また、制御部５５は、くじ引きの各種の景品の在庫管理の処理も行っている。記憶部５４内のくじ引きの景品管理データ５４６は、各種の景品ごとに在庫数を記録している。そして、配信制御手段としての制御部５５は、当落決定処理を行って当たりが発生した場合には、景品管理データ５４６に対して、その時の景品の在庫数を一つ減じる書き換え処理を実行する。
そして、制御部５５は、当落決定処理により当たりが発生した場合にのみ、コンテンツしての景品のクーポンデータ５４４をネット回線を通じて携帯端末４に送信する。
即ち、制御部５５は、携帯端末４が付加情報の送信と共にコンテンツの配信元となるサーバ装置５にアクセスした場合に、付加情報に応じてコンテンツを携帯端末４に配信する配信制御手段として機能する。
【００３７】
なお、付加情報によって景品を決定しているが、景品の決定の替わりに又は景品の決定と共に、付加情報に応じて当落決定処理の当選確率を変動させても良い。例えば、当落決定処理において、当たり判定の数値範囲を付加情報の数値に応じて拡縮させる等の処理を加えても良い。
【００３８】
［サーバ装置における特定音指示入力処理の流れ］
サーバ装置５における特定音指示入力処理の流れを図７のフローチャートに基づいて説明する。
まず、サーバ装置５の制御部５５は、内蔵時計により現在時刻を監視しつつ、タイムスケジュールのデータ５４３を参照して、新たな特定音を出力する時刻になったか否かを判定し（ステップＳ１）、その時刻になっていない場合には周期的に新たな特定音を出力する時刻になったか否かを判定する。
また、新たな特定音を出力する時刻になった場合には、制御部５５は、タイムスケジュールのデータ５４３により、通知する特定音の種類を決定する（ステップＳ３）。
そして、制御部５５は、その通信部５３を通じて、デジタルサイネージ装置２に対して決定された特定音を出力するよう出力指示の通知を行う（ステップＳ５）。
【００３９】
［デジタルサイネージ装置における特定音出力処理の流れ］
次に、デジタルサイネージ装置２における特定音指示入力処理の流れを図８のフローチャートに基づいて説明する。
デジタルサイネージ装置２の制御部２３は、通信部２６を通じて、サーバ装置５から特定音の出力指示の受信待ちを行い（ステップＳ１１）、出力指示を受信すると、制御部２３はサーバ装置５により指定された特定音のデータをデータ記憶部２５３から読み出して、音出力部３３にて出力する（ステップＳ１３）。
その後、制御部２３は、サーバ装置５からの現在選択されている特定音の出力指示が継続しているかを監視し（ステップＳ１５）、出力指示が継続している間はその特定音の出力を継続し、出力指示が途絶え場合には、特定音の出力を終えて処理を終了する。
なお、図８のフローチャートに示した特定音指示入力処理は、所定の期間ごとに行っても良いし、ステップ１５でＮｏの場合、ステップＳ１１に戻るようにしても良い。
【００４０】
［携帯端末におけるサーバアクセス処理の流れ］
次に、携帯端末４における特定音指示入力処理の流れを図９のフローチャートに基づいて説明する。
店頭に設置されたデジタルサイネージ装置２は、その画像形成部２７に広告映像やくじ引きによるコンテンツ配信の実施中であることを示す映像が表示され、その音出力部３３からはサーバ装置５に指定された特定音を出力している。
そして、その状態において、ユーザーは、携帯端末４の撮像部４７により，デジタルサイネージ装置２のコード表示部３５に表示された２次元コードの撮像を行う（ステップＳ２１）。このとき、制御部４６はサーバアクセスアプリ４５１の機能により、デジタルサイネージ装置２から出力されている特定音を音入力部４８から取り込む（ステップＳ２３）。
【００４１】
そして、制御部４６は、２次元コードの撮像画像データを所定のフィルタ処理等を行った上で、その撮像範囲全体の中から２次元コードの部分のみを検出する（ステップＳ２５）。この検出は、例えば、２次元コードに共通する特徴的なパーツ画像のパターンマッチング処理等を実行する。
さらに、画像解析を行い（ステップＳ２７）、２次元コードの向き、サイズを求め、コンテンツの配信元の情報が記述された部位を特定した上で、当該部位を従来周知の手法によって、例えば文字情報に変換する。これにより、コンテンツの配信元となるサーバ装置５のＵＲＬ（後述するコンテンツリクエストの送信先情報）を取得する（ステップＳ２９）。
【００４２】
さらに、制御部４６は、特定音のデータから周波数解析を行い（ステップＳ３１）、周波数成分が最も顕著に大きな周波数帯域を求め、対応データから付加情報を特定する（ステップＳ３３）。
そして、制御部４６は、取得したサーバ装置５のＵＲＬと付加情報とによりコンテンツリクエストを生成し（ステップＳ３５）、これをサーバ装置５のＵＲＬに送信する（ステップＳ３７）。
【００４３】
［サーバ装置におけるコンテンツ配信処理の流れ］
次に、サーバ装置５におけるコンテンツ配信処理の流れを図１０のフローチャートに基づいて説明する。
サーバ装置５の制御部５５は、携帯端末４からコンテンツリクエストの受信待ちを行っている（ステップＳ４１）。
そして、コンテンツリクエストを受信すると、制御部５５は、そこに含まれる付加情報を取り出して、景品特定データ５４５と照合して付加情報に対応する景品を特定する（ステップＳ４３）。
そして、制御部５５は、当落決定処理を実行する（ステップＳ４５）。つまり、乱数を発生させてそれが当たりの数値範囲内か否かを判定する（ステップＳ４７）。
これにより、当たりと判定した場合には、制御部５５は、その通信部５３から携帯端末４に対して当たりであることを通知し、選択された景品に対応するクーポンデータ５４４を送信する（ステップＳ４９）。そして、記憶部５４内の景品管理データ５４６について当選の景品の在庫数をひとつ減じる内容に更新して（ステップＳ５１）、くじ引きの処理を完了する。
また、当落決定処理の結果がはずれの場合には、制御部５５は、その通信部５３から携帯端末４に対してはずれであることを通知して（ステップＳ５３）、くじ引きの処理を完了する。
【００４４】
［コンテンツ配信システムの技術的な効果］
コンテンツ配信システム１は、携帯端末４が、撮像された２次元コードを解析してコンテンツの配信元の情報であるサーバ装置５のＵＲＬを取得するコード解析手段と撮像部４７によるコードの撮像時に音入力部４８から入力された特定音を解析して付加情報を取得する音解析手段とアクセス手段として機能する制御部４６を備えている。そして、サーバ装置５は、携帯端末４が付加情報の送信と共にコンテンツの配信元にアクセスした場合に、くじ引きの当落決定処理を経て、付加情報に応じてコンテンツとしてのクーポンデータ５４４を携帯端末４に配信する配信制御手段としての制御部５５を備えている。
このため、コンテンツ配信システム１のサーバ装置５側では、複数種類あるコンテンツの中から付加情報に応じたコンテンツを特定し、携帯端末４に配信することが可能となる。つまり、２次元コードのみの場合には固定的な一種類の情報しか伝達できないが、その撮像時にデジタルサイネージ装置２から特定音が出力されるので、携帯端末４は特定音から付加情報を得ることが出来る。このため、携帯端末４をサーバ装置５にアクセスさせると共に、付加情報により複数種類のコンテンツの中から適宜選択して配信することが可能となる。
また、２次元コードと特定音の組み合わせを利用するので、携帯端末４に与える情報の内容を変更する場合でも、２次元コードと組合わせる特定音を他の特定音に変更するだけでよく、新しい２次元コードを用意する必要がないので、利便性が高い。
【００４５】
また、携帯端末４は、撮像部４７と音入力部４８とを備え、制御部４６が撮像されたコードと検出された外部の音に基づいたアクセス先にアクセスするアクセス手段として機能するので、２次元コードと特定音とからサーバ装置５に対して適切なリクエストを行うことができ、コンテンツ配信システム１に好適な携帯端末４を提供することができる。
【００４６】
また、上記コンテンツ配信システム１のデジタルサイネージ装置２は、２次元のコードを表示するコード表示部３５と、２次元のコードが示すコンテンツ配信元が配信するコンテンツを特定するための特定音を出力する音出力部３３とを備えるので、コンテンツ配信環境下において、２次元コードを使用しつつ、コンテンツの配信元とコンテンツを特定するための付加情報という二つの情報を適切に外部に与えることが可能となる。従って、コンテンツ配信システム１に好適なデジタルサイネージ装置２を提供することができる。
さらに、デジタルサイネージ装置２は、特定の音を出力する音出力部３３を備えるので、携帯端末４は特定音に対応する特定の付加情報を得ることが出来る。
仮に、２次元のコードのみによりコンテンツの配信元にアクセスすることが可能な従来のシステムと比べた場合、従来のシステムではコード画像のコピーを入手して容易にアクセスすることが可能となる。一方、コンテンツ配信システム１では、特定の付加情報と共にアクセスするので、ユーザーが実際にデジタルサイネージ装置２のある場所に赴いてコードの撮像及び特定音の取り込みを行ったことを容易に確認することができる。このため、専ら、正規の手順に従ってアクセスした携帯端末４に対してのみコンテンツの配信を行うことができ、配信の適正化を図ることが可能となる。
【００４７】
さらに、サーバ装置５は、その制御部５５が、デジタルサイネージ装置２に対して、音出力部３３から出力する特定音の種類を選択し指示する特定音指示入力手段として機能するので、サーバ装置５側から特定音を容易に変更し、携帯端末４に付与する付加情報の内容も変更することができる。そのため、サーバ装置５側から携帯端末４に配信するコンテンツとしてのクーポンデータ５４４の内容も容易に変更することが可能となり、配信内容の管理が容易となる。
【００４８】
また、サーバ装置５の制御部５５は、所定のタイムスケジュールに従って、デジタルサイネージ装置２に対して、音出力部３３から出力する特定音の種類を選択し指示する特定音指示入力手段として機能するため、デジタルサイネージ装置２の音出力部３３から出力される特定音の種類を時刻に応じて変化させることができる。このため、携帯端末４がサーバ装置５にアクセスしたときに、ユーザーが実際にデジタルサイネージ装置２のある場所に赴いてコードの撮像及び特定音の取り込みを行ったことをさらに厳格に確認することができる。このため、より厳格に、正規の手順に従ってアクセスした携帯端末４に対してのみコンテンツの配信を行うことができ、配信のさらなる適正化を図ることが可能となる。
【００４９】
また、コンテンツ配信システム１では、デジタルサイネージ装置２が広告の表示だけでなく、くじ引き実施中を知らせる表示を行うと共に、くじ引きに参加するための２次元コードを表示したコード表示部３５を備えているので、ユーザーを繰り返しデジタルサイネージ装置２に立ち寄らせることができ、注目度、広告効果、集客効果の向上を図ることが可能となる。
【００５０】
［くじ引きによるコンテンツ配信の他の例］
前述したコンテンツ配信システム１では、デジタルサイネージ装置２の音出力部３３から特定音を出力し、携帯端末４は、特定音から付加情報を取得していたが、デジタルサイネージ装置２から特定音を出力せずに、或いは、デジタルサイネージ装置２に音出力部３３を設けずに、携帯端末４が付加情報を取得することも可能である。
その場合、携帯端末４は、撮像部４７によりデジタルサイネージ装置２のコード表示部３５の２次元コードを撮像し、音入力部４８は、周囲の環境音の取り込みを行う。
そして、携帯端末４の制御部４６は、音入力部４８から入力された環境音を解析して付加情報を取得する。環境音の解析の方法としては、周波数解析や、音量、周期やテンポで識別することが可能である。
【００５１】
この場合、デジタルサイネージ装置２が店舗に設置され、くじ引きによるコンテンツ配信を行うことから、携帯端末４の制御部４６は、環境音の解析の方法として、その音量で付加情報を分類することがより望ましい。環境音の音量による識別により、デジタルサイネージ装置２の周囲の賑やかさを判別することができる。
これに対して、サーバ装置５では、環境音の音量が大きいことを示す付加情報に対して、より景品が豪華になるように割り当てた景品特定データ５４５を用意したり、環境音の音量が大きいことを示す付加情報についてくじ引きの当落決定処理において当たり確率が高くなるように調整することにより、くじ引き会場となるデジタルサイネージ装置２の周囲が賑やかであるほどくじ引きを盛り上げる等、集客効果の向上を図ることが可能となる。
また、逆に、サーバ装置５では、環境音の音量が小さいことを示す付加情報に対して、より景品が豪華になるように割り当てた景品特定データ５４５を用意したり、環境音の音量が小さいことを示す付加情報についてくじ引きの当落決定処理において当たり確率が高くなるように調整することにより、くじ引き会場となるデジタルサイネージ装置２の周囲が静かで盛り上がりに欠けている状況を打破してくじ引きを盛り上げる等、集客効果の向上を図ることが可能となる。
いずれにせよ、このように携帯端末４が周囲の環境音を取り込んで解析して付加情報を取得することにより、周囲の活況に応じて適切なコンテンツの配信を行うことが可能となる。
【００５２】
上述にように、携帯端末４において環境音の取り込みを行う場合には、デジタルサイネージ装置２では音出力部３３を不要とすることができる。また、その記憶部２５内の特定音出力プログラム２５２及びこれに基づく処理を不要とすることができる。
また、サーバ装置５では、記憶部５４内の特定音指示プログラム５４１と特定音のタイムスケジュールのデータ５４３及びこれらに基づく処理を不要とすることができる。
【００５３】
上記の構成からなるコンテンツ配信システム１におけるサーバアクセス処理とコンテンツ配信処理は、それぞれ、図９と図１０に示した前述の処理とほぼ同一である。このため、図９と図１０を参照しながらサーバアクセス処理とコンテンツ配信処理の流れについてそれぞれ説明する。なお、以下の説明では、主に、デジタルサイネージ装置２からの特定音に基づくサーバアクセス処理及びコンテンツ配信処理と異なる点について説明するものとする。
【００５４】
まず、サーバアクセス処理では、ユーザーは、携帯端末４の撮像部４７により、デジタルサイネージ装置２のコード表示部３５に表示された２次元コードの撮像を行う（ステップＳ２１）。このとき、制御部４６はサーバアクセスアプリ４５１の機能により、周囲の環境音を音入力部４８から取り込む（ステップＳ２３）。
そして、制御部４６は、２次元コードを検出し（ステップＳ２５）、画像解析により（ステップＳ２７）、サーバ装置５のＵＲＬ（後述するコンテンツリクエストの送信先情報）を取得する（ステップＳ２９）。
さらに、制御部４６は、環境音の音量に基づく解析を行い（ステップＳ３１）、対応データから付加情報を特定する（ステップＳ３３）。
そして、制御部４６は、取得したサーバ装置５のＵＲＬと付加情報とによりコンテンツリクエストを生成し（ステップＳ３５）、これをサーバ装置５のＵＲＬに送信する（ステップＳ３７）。
【００５５】
コンテンツ配信処理では、サーバ装置５の制御部５５が、携帯端末４からのコンテンツリクエストの受信待ちを行い（ステップＳ４１）、コンテンツリクエストを受信すると、付加情報を取り出して、景品特定データ５４５から景品を特定する（ステップＳ４３）。
そして、制御部５５は、当落決定処理を実行する（ステップＳ４５）。このとき、当落判定に付加情報、即ち、環境音の音量を考慮する場合には、当たり確率の調整を行う。
そして、当たり判定を行い（ステップＳ４７）、当たりの場合には、制御部５５は、携帯端末４に対して当たりを通知し、景品に対応するクーポンデータ５４４を送信する（ステップＳ４９）。また、景品管理データ５４６を更新して（ステップＳ５１）、くじ引きの処理を完了する。
また、当落決定処理の結果がはずれの場合には、制御部５５は、その通信部５３からデジタルサイネージ装置２に対してはずれであることを通知して（ステップＳ５３）、くじ引きの処理を完了する。
【００５６】
以上のように、携帯端末４において２次元コードの撮像時に取り込みを行う音については、デジタルサイネージ装置２からの特定音に限られず、さらには、意図的に出力された音にも限られない。そして、そのような特定音以外の音を利用する場合であっても、携帯端末４は２次元コードから得られる情報と共に付加情報を取得することが可能であり、当該付加情報をコンテンツ配信に有効に活用することが可能である。
【００５７】
［その他］
コンテンツの配信元を示すコード表示部のコードとして２次元コードを例示したが、携帯端末４が読み取り可能であれば、バーコードのような１次元コードを使用しても良い。
【００５８】
また、上記コンテンツ配信システム１では、くじ引きによる景品としてのクーポンデータを配信する場合を例示したが、くじ引きの処理は必須ではなく、また、配信するコンテンツもクーポンデータに限られず任意である。
【００５９】
また、上記コンテンツ配信システム１では、デジタルサイネージ装置２が単体である場合を例示したが、例えば、複数の提携店舗ごとにデジタルサイネージ装置２を設置し、これら複数のデジタルサイネージ装置２が全てネットワークＮを通じてサーバ装置５と接続されたコンテンツ配信システム１を構築することも可能である。
その場合、各デジタルサイネージ装置２から出力される特定音は、同時刻においては全てのデジタルサイネージ装置２について異なるものとなるように各々のタイムスケジュールのデータを作ることが望ましい。これにより、付加情報からいずれのデジタルサイネージ装置２での撮像によるアクセスかをサーバ装置５側で識別することが可能となる。
【００６０】
また、上記コンテンツ配信システム１では、デジタルサイネージ装置２の特定音の種類をサーバ装置５からの指令によって変更するようになっているが、デジタルサイネージ装置２側で特定音の種類を所定の条件に従って変更する制御を行っても良い。
例えば、デジタルサイネージ装置２が特定音のタイムスケジュールのデータを記憶部２５に保有し、それを参照して随時特定音を変更するように制御しても良い。
また、タイムスケジュールに限らず、他の要因で音出力部３３から出力する特定音を変更させるよう制御しても良い。例えば、デジタルサイネージ装置２に対して人為的に来客数を入力し、或いは、リーダライター部３１に対する携帯端末４のアクセス回数をカウントして来客数を予測し、これらの来客数に応じて特定音を変更する制御を行っても良い。これによって、デジタルサイネージ装置２の来客数等の周囲の環境に応じて、くじ引きの結果を変動させたり、配信するコンテンツの内容を変化させることが可能となる。
【００６１】
また、本発明は上記実施形態に限らず適宜変更可能である。
例えば、本実施形態では、デジタルサイネージ装置２との通信を行うため、それ専用のアプリケーションを実行するようになっているが、これ以外にも携帯端末４に搭載されているインターネットブラウザによってネット上のアプリケーションを実行することでデジタルサイネージ装置２との通信を行うことも可能である。
【００６２】
例えば、サーバ装置５は必ずしも必要な構成ではなく、サーバ装置５が備える構成をサイネージ装置２に設け、携帯端末４とデジタルサイネージ装置２とによりコンテンツ配信システムを構成してもよい。
その場合、１次元又は２次元のコードには、コンテンツ配信元となるデジタルサイネージ装置２へのアクセス先を示したＵＲＬが記述され、デジタルサイネージ装置２からコンテンツとしてのクーポンデータの配信が行われる。
また、サーバ装置５の制御部５５が行っていた、タイムスケジュールのデータに基づく特定音の選択及び出力制御、コンテンツ配信プログラム５４２に基づくコンテンツ配信処理、くじ引きの各種の景品の在庫管理の処理等を全てデジタルサイネージ装置２の制御部２３が実行する。
【００６３】
また、携帯端末４の制御部４６は、アクセス手段として機能しているが、このアクセス手段は撮像された１次元又は２次元のコードと検出された外部の音に基づいたアクセス先にアクセスする機能を有すれば良い。
上述の実施形態では、アクセス手段としての制御部４６は、１次元又は２次元のコードからアクセス先のＵＲＬを取得し、特定音からコンテンツを決定するための付加情報を取得し、それぞれ異種の情報を取得しているが、１次元又は２次元のコードと特定音とから同種の情報を得ても良い。例えば、１次元又は２次元のコードからアクセス先のアドレスを取得し、特定音からアクセス先のアドレス内のさらに下位のアドレスを取得する等も可能である。その場合、特定音が変更されると、アクセス先のアドレスの下位のアドレスも変更されるので、サーバ装置５側では、特定音の変更によって異なる対応（例えば、下位のいずれかのアドレスにアクセスするかに応じてコンテンツを変える等である）を行うことが可能となる。
【００６４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６５】
〔付記〕
＜請求項１＞
所定のコンテンツを配信するサーバ装置と、
前記コンテンツの配信元を示す１次元又は２次元のコードを表示するコード表示部を有する表示装置と、
前記コンテンツの配信先にアクセスして前記コンテンツを取得する携帯端末とを備えるコンテンツ配信システムであって、
前記携帯端末は、
前記コード表示部に表示されたコードを撮像する撮像部と、
外部の音を検出する音入力部と、
前記撮像された前記コードを解析して前記コンテンツの配信元の情報を取得するコード解析手段と、
前記撮像部による前記コードの撮像時に前記音入力部から入力された音を解析して付加情報を取得する音解析手段と、
を備え、
前記サーバ装置は、
前記携帯端末が前記付加情報の送信と共に前記コンテンツの配信元にアクセスした場合に、前記付加情報に応じてコンテンツを前記携帯端末に配信する配信制御手段を備えることを特徴とするコンテンツ配信システム。
＜請求項２＞
前記表示装置は、特定音を出力する音出力部を備えることを特徴とする請求項１記載のコンテンツ配信システム。
＜請求項３＞
前記サーバ装置は、前記表示装置に対して、前記音出力部から出力する特定音の種類を選択し指示する特定音指示入力手段を備えることを特徴とする請求項２記載のコンテンツ配信システム。
＜請求項４＞
前記サーバ装置の特定音指示入力手段は、所定のタイムスケジュールに従って、前記表示装置に対して、前記音出力部から出力する特定音の種類を選択し指示することを特徴とする請求項３記載のコンテンツ配信システム。
＜請求項５＞
コンテンツ配信元を示す１次元又は２次元のコードを表示するコード表示部と、
前記１次元又は２次元のコードが示すコンテンツ配信元が配信するコンテンツを特定するための特定音を出力する音出力部とを備えることを特徴とする表示装置。
＜請求項６＞
前記音出力部は、所定のタイムスケジュールによって、特定音を変更することを特徴とする請求項５に記載の表示装置。
＜請求項７＞
１次元又は２次元のコードを撮像する撮像部と、
外部の音を検出する音入力部と、
前記撮像されたコードと前記検出された外部の音に基づいたアクセス先にアクセスするアクセス手段を備えることを特徴とする携帯端末。
＜請求項８＞
コンテンツの配信元を示す１次元又は２次元のコードを表示するコード表示部と音出力部とを有する表示装置のコンピュータを、
前記１次元又は２次元のコードが示すコンテンツ配信元のコンテンツを特定するための特定音を出力するように前記音出力部を制御する特定音出力手段として機能させることを特徴とするプログラム。
＜請求項９＞
１次元又は２次元のコードを撮像する撮像部と外部の音を検出する音入力部とを備える携帯端末のコンピュータを、
前記撮像されたコードと前記検出された外部の音に基づいたアクセス先にアクセスするアクセス手段として機能させることを特徴とするプログラム。
【符号の説明】
【００６６】
１  コンテンツ配信システム
２  デジタルサイネージ装置（表示装置）
４  携帯端末
５  サーバ装置
２３  制御部（特定音出力手段）
２４  プロジェクタ
２５  記憶部
２７  画像形成部
３３  音出力部
３５  コード表示部
４５  記憶部
４６  制御部（コード解析手段、音解析手段、アクセス手段）
４７  撮像部
４８  音入力部
５４  記憶部
５５  制御部（配信制御手段、特定音指示入力手段）
２５２  特定音出力プログラム
２５３  データ記憶部
４５１  サーバアクセスアプリ
４５２  クーポンデータ
５４１  特定音指示プログラム
５４２  コンテンツ配信プログラム
５４３  特定音のタイムスケジュールのデータ
５４４  クーポンデータ（コンテンツ）
Ｎ  ネットワーク
【図１】
2014197336.tif 000003
【図２】
2014197336.tif 000004
【図３】
2014197336.tif 000005
【図４】
2014197336.tif 000006
【図５】
2014197336.tif 000007
【図６】
2014197336.tif 000008
【図７】
2014197336.tif 000009
【図８】
2014197336.tif 000010
【図９】
2014197336.tif 000011
【図１０】
2014197336.tif 000012